(57)【要約】      （修正有）【課題】ズボンを留めることに対する身体の負担を軽減し、かつ、他人の見た目、ファション性にも考慮し、装着が簡単で、ズボンを傷めないズボン吊り具を提供し、また、それらを可能にする装着用のシャツを提供する。【解決手段】ベスト（Ａ）に肩当て（Ｂ）を設け、その下部に設けた当て具（Ｄ，Ｅ）の部分に、吊り具掛け（Ｃ）或いは（Ｊ）を設け、その吊り具掛けの先に吊り紐（Ｆ）を接続し、その先にズボンを留めるための吊り具留め（Ｈ）を設ける。或いは、肩から吊るすバンド（Ｋ）の肩に当たる部分に肩当て（Ｌ）を設け、その背面にくる方の上部にバンド合わせ（Ｍ）を設け、身体の前にくる方のバンドに長さ調節器具（Ｎ）を設け、折り返したバンドの先に吊り具掛け（Ｏ）を設け、その吊り具掛けの先に吊り紐（Ｆ）を接続し、その先にズボンを留めるための吊り具留め（Ｈ）を設けた。【選択図】      図１
2004190207.tif 000002
【特許請求の範囲】
【請求項１】
ベスト（Ａ）の下部に吊り具掛け（Ｃ）或いは（Ｊ）を設け、その（Ｃ）或いは（Ｊ）の吊り具掛けの先に吊り紐（Ｆ）を設け、その吊り紐（Ｆ）の先に吊り具留め（Ｈ）を設ける。以上の如く構成されたズボン吊り具。
【請求項２】
ベスト（Ａ）の肩に当たる部分から、下に装着する吊り具掛け（Ｃ）或いは（Ｊ）の部分にかけて肩当て（Ｂ）を設けた、「請求項１」のズボン吊り具。
【請求項３】
ベスト（Ａ）の下部に、正面の当て具（Ｄ）背面の当て具（Ｅ）を設けた、「請求項１」のズボン吊り具。
【請求項４】
ベスト（Ａ）の肩に当たる部分から、下に装着する吊り具掛け（Ｃ）或いは（Ｊ）の部分にかけて肩当て（Ｂ）を設け、その肩当て（Ｂ）の下部に正面の当て具（Ｄ）背面の当て具（Ｅ）を設けた、「請求項１」のズボン吊り具。
【請求項５】
ベスト（Ａ）を設けず、直接肩当て（Ｂ）及び正面の当て具（Ｄ）背面の当て具（Ｅ）に吊り具掛け（Ｃ）或いは（Ｊ）を設け、その（Ｃ）或いは（Ｊ）の吊り具掛けの先に吊り紐（Ｆ）を設け、その吊り紐（Ｆ）の先に吊り具留め（Ｈ）を設ける。以上の如く構成されたズボン吊り具。
【請求項６】
肩から吊るすバンド（Ｋ）の先に、吊り具掛け（Ｏ）を設け、その吊り具掛け（Ｏ）の先に吊り紐（Ｆ）を設け、その吊り紐（Ｆ）の先に吊り具留め（Ｈ）を設ける。以上の如く構成されたズボン吊り具。
【請求項７】
肩から吊るす２本のバンド（Ｋ）の肩に当たる部分に肩当て（Ｌ）を設けた、「請求項６」のズボン吊り具。
【請求項８】
請求項１から７のズボン吊り具を、シャツの内側に装着しようとした際に用いる、シャツの腰のあたりに設けたシャツの吊り具通しホール（Ｇ）。
【発明の詳細な説明】
【０００１】
【発明の属する技術分野】
この発明は、シャツの内、外、両方に吊るすことが可能なズボン吊り具と、その装着用シャツに設けたズボン吊り具装着用シャツの吊り具通しホールに関するものである。
【０００２】
【従来の技術】
従来、ズボンがずり落ちるのを防ぐための方法の一つとして、シャツの外側に、肩から掛けたズボン吊りバンドで、ズボンを挟んで止めるという方法があった。
【０００３】
【発明が解決しようとする課題】
しかし、この場合には、シャツの外側に、肩から掛けたバンドでズボンを挟んで止めることになるため、ズボン吊りバンドが外から見えてしまい、ファッション的にも、或はまた、他人の見た目、体裁上、時と場所によっては使いにくいというような欠点があった、また従来の方法ではズボンを挟んで止めることになるため、ズボンを傷つけてしまい、常用多用することが困難というような欠点があった。
本発明は、これらの欠点を取り除くためになされたものである。
【０００４】
【課題を解決するための手段】
（図１）或いは（図１９）のベスト（Ａ）の、肩に当たる部分から、下に装着する吊り具掛け（Ｃ）或いは（Ｊ）の部分にかけて肩当て（Ｂ）を設け、その肩当て（Ｂ）の下部に正面の当て具（Ｄ）背面の当て具（Ｅ）を設け、その正面の当て具（Ｄ）背面の当て具（Ｅ）の部分に吊り具掛け（Ｃ）或いは（Ｊ）を設け、その（Ｃ）或いは（Ｊ）の吊り具掛けの先に吊り紐（Ｆ）を設ける、その吊り紐（Ｆ）の先に吊り具留め（Ｈ）の「掛け」（Ｈ１）を接続し、ズボン側に、これを受けるための吊り具留め（Ｈ）の「受け」ズボンの内側（Ｈ２）ズボンの表側（Ｈ３）を設ける。
また、（図２４）の肩から吊るす２本のバンド（Ｋ）を背面にくる方の上部で重ね、その重ね合わせた部分をバンド合わせ（Ｍ）で留め、その肩から吊るす２本のバンド（Ｋ）の肩に当たる部分に肩当て（Ｌ）を設け、身体の正前にくる方の２本のバンド（Ｋ）に、バンドを折り返して長さを調節するための長さ調節器具（Ｎ）を設け、正面背面の、４本のバンドの先に吊り具掛け（Ｏ）を設け、その吊り具掛け（Ｏ）の先に吊り紐（Ｆ）を設ける、その吊り紐（Ｆ）の先に吊り具留め（Ｈ）の「掛け」（Ｈ１）を接続し、ズボン側に、これを受けるための吊り具留め（Ｈ）の「受け」ズボンの内側（Ｈ２）ズボンの表側（Ｈ３）を設けても、同じ目的を達成することが出来る。
また、シャツに、この上記（図１）（図１９）或いは（図２４）のズボン吊り具を装着するための、シャツの吊り具通しホール（Ｇ）を設ける。
（Ｃ）吊り具掛け（図５）の全体図及び（図６）〜（図１８）までの部分図の構造は、ベスト（Ａ）に縫い付けるための、取り付けベルト（Ｃ１）に、取り付け金具（Ｃ２）を取り付け、その取り付け金具（Ｃ２）に、ベルト（Ｃ５）をビス（Ｃ４）で固着した掛け金（Ｃ３）を掛け、このベルト（Ｃ５）を挟んだ形でスライド出来る２重床構造の外枠（Ｃ６）にストッパー（Ｃ１２）をストッパーの軸（Ｃ９）で取り付け、裏側に反発力を持たせるための弾力バネ（Ｃ８）を弾力バネの軸（Ｃ７）によって取り付ける、また、ストッパーの軸（Ｃ９）にはストッパー（Ｃ１２）と外枠（Ｃ６）の間にワッシャー（Ｃ１０）を取り付ける、また、吊り紐（Ｆ）を固着した吊り紐留め（Ｆ１）を外枠（Ｃ６）の吊り紐留め通し（Ｃ６−６）を通し、さらにストッパー（Ｃ１２）の吊り紐留めを通す開口部（Ｃ１２−５）（Ｃ１２−２）を通して、この吊り紐留め（Ｆ１）をストッパーの軸（Ｃ９）に取り付けた掛け金（Ｃ１１）の吊り紐掛け（Ｃ１１−３）で位置をずらして位置調節した吊り紐留め（Ｆ１）を留める、また、ベルト（Ｃ５）の下部にはホック（Ｃ１３）を設け、掛け金（Ｃ３）と共にベスト（Ａ）への脱着が可能な構造になっている。
（Ｃ１）取り付けベルト（図６）の構造は、金具掛けベルト（Ｃ１−２）を縫い付け布（Ｃ１−１）で、ベスト（Ａ）に縫い付ける構造になっている。
（Ｃ２）取り付け金具（図７）の構造は、枠金（Ｃ２−３）の中央に開口部（Ｃ２−１）を設け、下部の巾を広くし、中央下側に取り外しホール（Ｃ２−２）を設ける。
（Ｃ３）掛け金（図８）の構造は、掛け金板（Ｃ３−４）の上部を裏側へ折り返し、折り返した掛け金板（Ｃ３−４）の先を外側に向け掛け口（Ｃ３−３）を設ける、また掛け金板（Ｃ３−４）の上部中央はカットして掛け口（Ｃ３−３）に弾力性を持たせるための開口部（Ｃ３−１）を設ける、また掛け金板（Ｃ３−４）の上部中央には表側だけに取り外しホール（Ｃ３−２）を設け、下部３ヶ所にビス止めホール（Ｃ３−５）を設ける。
（Ｃ４）ビス（図９）の構造は、軸（Ｃ４−１）の両側に笠（Ｃ４−２）を設ける。
（Ｃ５）ベルト（図１０）の構造は、ストッパー掛けベルト（Ｃ５−２）の上部にビス留めホール（Ｃ５−１）を設け、ベルトの中央部には横にストッパー止めの溝（Ｃ５−４）を設け、そのストッパー止めの溝（Ｃ５−４）のすぐ上の、溝に接した位置にストッパー止めホール（Ｃ５−３）を左右に設ける、また、下部中央にはホック止めのホール（Ｃ５−５）を設ける。
（Ｃ６）外枠（図１１）の構造は、左右に外枠の縁（Ｃ６−７）を設けた２重床構造の外枠台（Ｃ６−１）を設け、その外枠台（Ｃ６−１）の外枠の縁（Ｃ６−７）の中段より少し上の左右には弾力バネの軸穴（Ｃ６−２）を設け、その下、中段の部分の左右にはストッパーの軸穴（Ｃ６−３）を設ける、また２重床（Ｃ６−９）の下部にはストッパーの爪掛け開口部（Ｃ６−４）を設け、その後ろの外枠台の床（Ｃ６−８）にはストッパーの爪の先の突起収めホール（Ｃ６−５）を設ける、また２重床（Ｃ６−９）の下段には中央部に吊り紐留め通し（Ｃ６−６）を設ける。
（Ｃ８）弾力バネ（図１２）の構造は、受け板（Ｃ８−１）の下部を折り返してバネ（Ｃ８−３）を設け、中段上部の左右をくるりとまるめて軸に掛ける折り返し（Ｃ８−２）を設ける。
（Ｃ７）弾力バネの軸（図１３）の構造は、軸棒（Ｃ７−１）の左右の両端に脱落防止の笠（Ｃ７−２）を設ける。
（Ｃ１２）ストッパー（図１４）の構造は、左右にストッパーの縁（Ｃ１２−８）を設け中央に中抜き部分（Ｃ１２−３）を設けたストッパーの台（Ｃ１２−１）を設け、そのストッパーの縁（Ｃ１２−８）の中段の左右にはストッパーの軸穴（Ｃ１２−４）を設け、また、そのストッパーの台（Ｃ１２−１）の上段の中央には吊り紐留めを通す開口部（Ｃ１２−２）を設け、中段下段にもそれぞれ吊り紐留めを通す開口部（Ｃ１２−５）を設ける、また、最下部の先端にはストッパーの爪（Ｃ１２−６）を設け、その左右のストッパーの爪（Ｃ１２−６）の先端には、それぞれストッパーの爪の先の突起（Ｃ１２−７）を設ける。
（Ｃ１０）ワッシャー（図１５）の構造は、左右２個の、短く切ったパイプ（Ｃ１０−１）の中央にストッパーの軸穴（Ｃ１０−２）を設ける。
（Ｃ９）ストッパーの軸（図１６）の構造は、軸棒（Ｃ９−１）の左右の両端に脱落防止の笠（Ｃ９−２）を設ける。
（Ｃ１１）掛け金（図１７）の構造は、Ｔ字型の板金（Ｃ１１−２）の上部の左右を、それぞれくるりとまるめてストッパーの軸に掛ける折り返し（Ｃ１１−１）を設け、中央部分を下に伸ばして吊り紐掛け（Ｃ１１−３）を設ける。
（Ｃ１３）ホック（図１８）の構造は、ベスト（Ａ）側にベストに固着する受け（Ｃ１３−１）を設け、それとは別にベルト（Ｃ５）を挟んでベスト（Ａ）に留めるためのベルト（Ｃ５）を留める掛け（Ｃ１３−２）を設ける。
また、（図１９）ベスト型式２の全体図にあるように吊り具掛けを（Ｊ）とした場合にも同じ目的を達成することが出来る。
（Ｊ）の吊り具掛け（図２０）の全体図及び（図２１）〜（図２３）までの部分図の構造は、取り付けベルト（Ｊ１）に、吊り紐掛け金具（Ｊ２）を取り付け、その吊り紐掛け金具（Ｊ２）に吊り紐留め（Ｆ１）を掛け、また、その吊り紐掛け金具（Ｊ２）には上から覆い被せるように金具カバー（Ｊ３）を設けた構造になっている。
（Ｊ１）取り付けベルト（図２１）の構造は、金具掛け取り付けベルト（Ｊ１−２）を縫い付け布（Ｊ１−１）で、ベスト（Ａ）に縫い付ける構造になっている。
（Ｊ２）吊り紐掛け金具（図２２）の構造は、金具枠（Ｊ２−４）の上部にベルト受けの軸（Ｊ２−１）を設け、その下に掛け金（Ｊ２−３）を取り付けた掛け金受けの軸（Ｊ２−２）を設ける、また、下部には、掛け金（Ｊ２−３）を受け留めるための掛け金受け（Ｊ２−６）を設ける、また、金具枠（Ｊ２−４）の下部に取り外し摘み（Ｊ２−５）を設ける。
（Ｊ３）金具カバー（図２３）の構造は、金具カバー枠（Ｊ３−３）の上部の左右に脱落防止の肩（Ｊ３−１）を設け、中段の外側左右に取り外し摘み（Ｊ３−２）を設ける。
また、バンド型式の（Ｌ）肩当て（図２５）の斜視図及び（図２６）及び（図２７）の部分図の構造は、肩当て台（Ｌ１）の左右に２本のバンドを通す切り込み（Ｌ１−２）を設け、中央に「オス」の台側のマジックテープ（Ｌ１−１）を設ける、また肩から吊るすバンド（Ｋ）の肩に当たる部分（Ｌ２）の内側に「メス」のバンド側のマジックテープ（Ｌ２−１）を設ける。
（Ｍ）バンド合わせ（図２８）の構造は、三角形のプレート（Ｍ２）の中央部分を浮かせて肩から吊るすバンド（Ｋ）を交差させて通せるよう、三辺にバンドを通すホール（Ｍ１）を設ける。
（Ｎ）長さ調節器具（図２９）斜視図の構造は、身体の前の方にくる２本の肩から吊るすバンド（Ｋ）の端に掛け金（Ｎ２）を設け、この掛け金（Ｎ２）を受け留めるための受け金（Ｎ１）を折り返した肩から吊るすバンド（Ｋ）の中段に設ける。
（Ｎ１）受け金（図３０）の構造は、台金（Ｎ１−１）の左右を肩から吊るすバンド（Ｋ）の巾に合わせて９０度に折り、受け金の凹部分（Ｎ１−２）を設ける。
（Ｎ２）掛け金（図３１）の構造は、肩から吊るすバンド（Ｋ）の巾に合わせた台金（Ｎ２−１）の上部を９０度に折り、折った部分の先にバンドを固定する爪１（Ｎ２−３）を設け、左右には凸部分（Ｎ２−２）を設ける、また、台金（Ｎ２−１）の下部にはバンドを固定する爪２（Ｎ２−４）を設ける。
（Ｏ）吊り具掛け（図３２）の構造は、Ｊ吊り具掛け（図２０）の構造と共通となっている、従って（Ｏ）の場合にはベルト受けの軸（Ｊ２−１）に肩から吊るすバンド（Ｋ）を通して、折り返して留めるようになっている。
（Ｆ）吊り紐（図３４）の構造は、吊り紐（Ｆ）の上部に吊り紐留め（Ｆ１）を設け、その吊り紐留め（Ｆ１）には掛け金掛けホール（Ｆ２）を設ける、また下部には吊り具留め（Ｈ）の掛け（Ｈ１）を固着する。
（Ｇ）シャツの吊り具通しホール（図３３）の構造は、本ズボン吊り具のすべてに共通して共用使用出来る構造になっており、着用するシャツの下部４ケ所に設けた開口部（Ｇ１）の周りをかがり（Ｇ２）で、かがった構造になっている、これは、それぞれの個所に１個づつでも良いが、２個或いは３個と複数のホールを縦横斜めに設けた形であっても同じ目的を達成することが出来る。
（Ｈ）吊り具留め（図３５）の構造は、吊り具留めの受け（Ｈ２）（ズボンの内側）をズボンに取り付けるために、ズボンの表側に、吊り具留めの受け（Ｈ３）（ズボンの表側）を設け、また、この吊り具留めの受け（Ｈ２）（ズボンの内側）に、吊り紐（Ｆ）を固着した吊り具留め（Ｈ）の掛け（Ｈ１）を掛ける。
（Ｈ１）掛け（図３６）及び（図３７）の構造は、吊り紐（Ｆ）の下部に、はさみ（Ｈ１−１）を設け、その、はさみ（Ｈ１−１）の下部にバー（Ｈ１−２）を設ける、また、この、はさみ（Ｈ１−１）とバー（Ｈ１−２）を、留めて合わせるために中央に留め金（Ｈ１−３）を設ける。
（Ｈ２）受け（ズボンの内側）（図３８）の構造は、台（Ｈ２−２）の上部に掛け金（Ｈ２−１）を設け、上下に１本づつ、左右に２本づつの爪（Ｈ２−３）を設ける。
（Ｈ３）受け（ズボンの表側）（図３９）の構造は、表のボード（Ｈ３−２）の上下左右を折り返して、上下に１個づつ、左右に２個づつの爪を受ける穴（Ｈ３−１）を設ける。
本発明は以上のような構成からなる、ズボン吊り具と、その装着用シャツのホールである。
【０００５】
【発明の実施の形態】
本発明は以上のような構成であるから、このズボン吊り具、ベスト型式１（図１）或いはベスト型式２（図１９）をシャツの内側に装着する場合には、まず、吊り具掛けが（Ｃ）の場合には掛け金（Ｃ３）とホック（Ｃ１３）を使って、吊り具掛け（Ｃ）をベスト（Ａ）に取り付け、（吊り具掛けが（Ｊ）の場合にはあらかじめ縫い付けておく）、また、シャツに吊り具通しホール（Ｇ）を設ける、さらにズボンの腰の自分がこのズボン吊り具ベスト型式１或いはベスト型式２の吊り紐（Ｆ）を掛けようと思う辺に、吊り具留め（Ｈ）の「受け」を、前後の４ヶ所に、あまりズボンの上部ではなく上から２ｃｍ前後下の裏地のある部分に取り付ける、以上を事前にセットし取り付けた後に、吊り具掛け（Ｃ）或いは（Ｊ）の吊り紐留め（Ｆ１）の位置を、掛け金（Ｃ１１）或いは掛け金（Ｊ２−３）に掛け直すことによって移動調節し、自分の体形に合わせて吊り具留め（Ｈ）の位置を調節し、ベスト（Ａ）を着用する、ベスト（Ａ）を着用しボタンを掛けたら、シャツを着る、シャツを着たらシャツに事前に設けてある吊り具通しホール（Ｇ）に、吊り具留め（Ｈ）の「掛け」を前後４ヶ所とも通し、吊り具留め（Ｈ）の「掛け」の先の掛け金を横に倒す、倒すことによって吊り具留め（Ｈ）の「掛け」は、シャツから容易には抜けない、吊り具留め（Ｈ）の「掛け」の先の掛け金を横に倒したら、ズボンを穿き、ズボンに事前に取り付けてある吊り具留め（Ｈ）の「受け」に、横に倒した吊り具留め（Ｈ）の「掛け」の掛け金を掛ける、つぎに吊り具掛けが（Ｃ）の場合にはストッパーの位置をスライドして吊り具留めの（Ｈ）が、ちょうど腰の当たりに来るように微調整し、シャツにボタンを掛ける、こうすることによって外からは見えないズボン吊り具ベスト型式１（図１）或いはベスト型式２（図１９）をシャツの内側に装着することが出来る。
また、このズボン吊り具、ベスト型式１（図１）或いはベスト型式２（図１９）をシャツの外側に装着する場合には、まず、吊り具掛けが（Ｃ）の場合には掛け金（Ｃ３）とホック（Ｃ１３）を使って、吊り具掛け（Ｃ）をベスト（Ａ）に取り付け、（吊り具掛けが（Ｊ）の場合はあらかじめ縫い付けておく）、また、ズボンの腰の自分がこのズボン吊り具ベスト型式１或いはベスト型式２の吊り紐（Ｆ）を掛けようと思う辺に、吊り具留め（Ｈ）の「受け」を、前後の４ヶ所に、あまりズボンの上部ではなく上から２ｃｍ前後下の裏地のある部分に取り付ける、以上を事前にセットし取り付けた後に、吊り具掛け（Ｃ）或いは（Ｊ）の吊り紐留め（Ｆ１）の位置を、掛け金（Ｃ１１）或いは掛け金（Ｊ２−３）に掛け直すことによって移動調節し、自分の体形に合わせて吊り具留め（Ｈ）の位置を調節し、シャツを着る、シャツを着てボタンを掛けたら、その上に、このズボン吊り具ベスト型式１（図１）或いはベスト型式２（図１９）を着用しボタンを掛ける、また、この場合には吊り具通しホール（Ｇ）は関係ないから、そのままズボンを穿き、ズボンを穿いたら、吊り具留め（Ｈ）の「掛け」の先の掛け金を横に倒して、ズボンに事前に取り付けてある吊り具留め（Ｈ）の「受け」に、横に倒した吊り具留め（Ｈ）の「掛け」の掛け金を掛ける、また、最後に吊り具掛けが（Ｃ）の場合にはストッパーの位置をスライドして吊り具留めの（Ｈ）が、ちょうど腰の当たりに来るように微調整する、こうすることによって、このズボン吊り具ベスト型式１（図１）或いはベスト型式２（図１９）をシャツの外側に装着することが出来る。
また、（図２４）のズボン吊り具、バンド型式をシャツの内側に装着する場合には、まず、事前に本ズボン吊り具、バンド型式（図２４）の各パーツを本全体図のとおりセットし、また、シャツに吊り具通しホール（Ｇ）を設ける、さらにズボンの腰の自分がこのズボン吊り具バンド型式の吊り紐（Ｆ）を掛けようと思う辺に、吊り具留め（Ｈ）の「受け」を、前後の４ヶ所に、あまりズボンの上部ではなく上から２ｃｍ前後下の裏地のある部分に取り付ける、以上を事前にセットし取り付けた後に、吊り具掛け（Ｏ）の吊り紐留め（Ｆ１）の位置を、掛け金（Ｊ２−３）に掛け直すことによって移動調節し、自分の体形に合わせて吊り具留め（Ｈ）の位置を調節し、調節した後に、本ズボン吊り具、バンド型式（図２４）を肩に掛け、シャツを着る、シャツを着たらシャツに事前に取り付けてある吊り具通しホール（Ｇ）に、吊り具留め（Ｈ）の「掛け」を前後４ヶ所とも通し、吊り具留め（Ｈ）の「掛け」の先の掛け金を横に倒す、倒すことによって吊り具留め（Ｈ）の「掛け」は、シャツから容易には抜けない、吊り具留め（Ｈ）の「掛け」の先の掛け金を横に倒したら、ズボンを穿き、ズボンに事前に取り付けてある吊り具留め（Ｈ）の「受け」に、横に倒した吊り具留め（Ｈ）の「掛け」の掛け金を掛ける、つぎに身体の前の方にくる２本のバンドの長さを長さ調節器具（Ｎ）で吊り具留めの（Ｈ）が、ちょうど腰の当たりに来るように微調節し、シャツにボタンを掛ける、こうすることによって外からは見えない、ズボン吊り具、バンド型式（図２４）をシャツの内側に装着することが出来る。
また（図２４）のズボン吊り具、バンド型式をシャツの外側に装着する場合には、まず、事前に本ズボン吊り具、バンド型式（図２４）の各パーツを本全体図のとおりセットし、また、ズボンの腰の自分がこのズボン吊り具バンド型式の吊り紐（Ｆ）を掛けようと思う辺に、吊り具留め（Ｈ）の「受け」を、前後の４ヶ所に、あまりズボンの上部ではなく上から２ｃｍ前後下の裏地のある部分に取り付ける、以上を事前にセットし取り付けた後に、吊り具掛け（Ｏ）の吊り紐留め（Ｆ１）の位置を、掛け金（Ｊ２−３）に掛け直すことによって移動調節し、自分の体形に合わせて吊り具留め（Ｈ）の位置を調節し、シャツを着る、シャツを着てボタンを掛けたら、その上に、このズボン吊り具バンド型式（図２４）を掛ける、また、この場合には吊り具通しホール（Ｇ）は関係ないから、そのままズボンを穿き、ズボンを穿いたら、吊り具留め（Ｈ）の「掛け」の先の掛け金を横に倒して、ズボンに事前に取り付けてある吊り具留め（Ｈ）の「受け」に、横に倒した吊り具留め（Ｈ）の「掛け」の掛け金を掛ける、また、最後に身体の前の方にくる２本のバンドの長さを長さ調節器具（Ｎ）で吊り具留めの（Ｈ）が、ちょうど腰の当たりに来るように微調節する、こうすることによって、このズボン吊り具バンド型式（図２４）をシャツの外側に装着することが出来る。
また、取り付け金具（Ｃ２）に掛け金（Ｃ３）を掛ける場合には、掛け口（Ｃ３−３）を枠金（Ｃ２−３）の下枠の部分に掛けて、下に引くようにすると掛かり、外す場合には掛け金（Ｃ３）の取り外しホール（Ｃ３−２）と、取り付け金具（Ｃ２）の取り外しホール（Ｃ２−２）に、先の尖った千枚通し状のものを突き入れて、掛け口（Ｃ３−３）を後ろの方に押すようにしながら、上に押し上げることによって外すことが出来る。
また、ストッパー（Ｃ１２）の微調整は、ストッパーの台（Ｃ１２−１）の上部と、外枠台（Ｃ６−１）の上部をつまんで、ストッパーの爪（Ｃ１２−６）を浮かせて、ベルト（Ｃ５）の上をスライドさせて位置調整をしてから放す、放すことによつてストッパーの爪の先の突起（Ｃ１２−７）がストッパー止めホール（Ｃ５−３）に入り、ストッパーの爪（Ｃ１２−６）がストッパー止めの溝（Ｃ５−４）に引っ掛かることによって停止する。
また、吊り具掛けが（Ｃ）の場合、吊り紐留め（Ｆ１）の位置を変えるには、吊り紐留め（Ｆ１）を一反ストッパー（Ｃ１２）の吊り紐留めを通す開口部（Ｃ１２−２）から外し、吊り紐掛け（Ｃ１１−３）に掛かった吊り紐留め（Ｆ１）の位置を掛け直してから、もう一度ストッパー（Ｃ１２）の吊り紐留めを通す開口部（Ｃ１２−２）の内側を通すことによって変えることが出来る。
また、吊り具掛けが（Ｊ）の場合、吊り紐留め（Ｆ１）の位置を変えるには、吊り具掛け（Ｊ）の取り外し摘み（Ｊ２−５）と取り外し摘み（Ｊ３−２）を摘んで、金具カバー（Ｊ３）を上に引き、掛け金（Ｊ２−３）に掛かった吊り紐留め（Ｆ１）の位置を掛け直してから、もう一度吊り紐留め（Ｆ１）を金具カバー（Ｊ３）の内側を通しながら、金具カバー（Ｊ３）を吊り紐掛け金具（Ｊ２）に被せ直すことによって変えることが出来る。
また、吊り具掛けが（Ｏ）の場合、吊り紐留め（Ｆ１）の位置を変えるには、吊り具掛け（Ｏ）の取り外し摘み（Ｊ２−５）と取り外し摘み（Ｊ３−２）を摘んで、金具カバー（Ｊ３）を上に引き、掛け金（Ｊ２−３）に掛かった吊り紐留め（Ｆ１）の位置を掛け直してから、もう一度吊り紐留め（Ｆ１）を金具カバー（Ｊ３）の内側を通しながら、金具カバー（Ｊ３）を吊り紐掛け金具（Ｊ２）に被せ直すことによって変えることが出来る。
また、吊り具留め（Ｈ）の受け（Ｈ２，Ｈ３）を、ズボンに取り付ける場合には受け（Ｈ２）の爪（Ｈ２−３）を、ズボンの腰の自分がこの吊り紐（Ｆ）を、掛けようと思う辺の、あまりズボンの上部ではなく上から２ｃｍ前後下の裏地のある部分に差し込み、ズボンの表側の受け（Ｈ３）の、爪を受ける穴（Ｈ３−１）に差し込んでから、双方を強く打ち付け合うことによって取り付けることが出来る。
また、吊り紐（Ｆ）及び吊り具留め（Ｈ）の「掛け」（Ｈ１）並びに「受け」（Ｈ２、Ｈ３）は、（図１）或いは（図１９）のベスト型式と（図２４）のバンド型式とが同型であるため、双方に共用出来る。
【０００６】
【実施例】
（１）ベスト（Ａ）全体を或いは部分的に、メッシュ構造にするという方法もある。
（２）ベスト（Ａ）の下部の巾を広げて、両サイドに或いは背面にベスト（Ａ）の腰巾調節バンドを設けるという方法もある。
（３）肩当て（Ｂ）に弾力性をもたせるという方法もある。
（４）肩当て（Ｂ）及び背面の当て具（Ｅ）は下部をＷ字型にするという方法もある。
（５）吊り具掛け（Ｊ）の取り付けベルト（Ｊ１）の長さを長くして、長さ調節器具（Ｎ）を設けるという方法もある。
（６）肩から吊るすバンド（Ｋ）は、弾力性をもたせるという方法もある。
（７）バンド合わせ（Ｍ）は替わりに皮状の合わせ具を設け、その合わせ具に直接バンドを縫い付けるという方法もある、また、その下の背面のバンドは一本にして、その一本のバンドの先に吊り具掛け（Ｏ）を設け、シャツにも中央にシャツの吊り具通しホール（Ｇ）を設け、吊り具留め（Ｈ）も中央に設けるという方法もある。
（８）肩当て（Ｌ）は、直接肩から吊るすバンド（Ｋ）に縫い付けるという方法もある。
（９）肩当て（Ｌ）は、肩から吊るすバンド（Ｋ）の肩の部分の巾を広くして、設けないという方法もある。
（１０）肩から吊るすバンド（Ｋ）に長さ調節器具（Ｎ）を設けないという方法もある。
（１１）吊り紐（Ｆ）に弾力性をもたせるという方法もある。
（１２）シャツの吊り具通しホール（Ｇ）は背面の中央にも設けるという方法もある。
【０００７】
【発明の効果】
本ズボン吊り具は、ズボンを肩から吊って吊り留める構造になっているため、ベルトで腰を締め付ける必要がなく、ズボンを穿いた時の腰に圧迫感がなく装着時の身体に負担のかからない構造になっている、また、シャツの外側に装着することも可能ではあるが、シャツの内側に装着することが主目的となっている、内側に装着した場合には外からは、まったく見えなくなり、装着を気にする必要がなく、見栄えが良い、また、弾力性と巾のある肩当てによって装着時の装着感が薄れ、重い冬物のズボンでも肩に負担がかからず、長さ調節機能付の吊り具掛けによって、吊り紐の長さを変えることも出来、また装着後に吊り具掛けの位置を変えることも可能となっている、また、シャツが吊り紐と吊り具通しホールを通して移動可能なため腕を上げたときのシャツに引っ掛かりがなく、またズボンは、吊り具留めで吊り留める構造になっているため、ズボンを傷めることがなく常用多用が可能となっている、また、ベストであってもメッシュ構造のベストとした場合には洗濯も容易であり、夏場も涼しい、また、各パーツだけを取り替えることも可能となっている。
【図面の簡単な説明】
【図１】本発明ベスト型式１、全体図
【図２】ベスト型式１及び２、Ａベストの正面図
【図３】ベスト型式１及び２、Ｂ肩当ての正面図
【図４】ベスト型式１及び２、Ｄ正面の当て具、Ｅ背面の当て具の正面図
【図５】ベスト型式１、Ｃ吊り具掛けの正面図と縦中央１の断面図
【図６】ベスト型式１、Ｃ１取り付けベルトの正面図と縦中央Ｉの断面図
【図７】ベスト型式１、Ｃ２取り付け金具の正面図と底面図及び縦中央Ｉの断面図
【図８】ベスト型式１、Ｃ３掛け金の正面図と底面図及び縦中央Ｉの断面図
【図９】ベスト型式１、Ｃ４ビスの正面図と縦中央Ｉの断面図
【図１０】ベスト型式１、Ｃ５ベルトの正面図と底面図及び縦中央Ｉの断面図
【図１１】ベスト型式１、Ｃ６外枠の正面図と底面図及び側面図
【図１２】ベスト型式１、Ｃ８弾力バネの正面図と底面図及び側面図
【図１３】ベスト型式１、Ｃ７弾力バネの軸の正面図と側面図
【図１４】ベスト型式１、Ｃ１２ストッパーの正面図と底面図及び側面図
【図１５】ベスト型式１、Ｃ１０ワッシャーの正面図と側面図
【図１６】ベスト型式１、Ｃ９ストッパーの軸の正面図と側面図
【図１７】ベスト型式１、Ｃ１１掛け金の正面図と縦中央Ｉの断面図
【図１８】ベスト型式１、Ｃ１３ホックの正面図と縦中央Ｉの断面図
【図１９】本発明ベスト型式２、全体図
【図２０】ベスト型式２、Ｊ吊り具掛けの正面図と金具カバー取り付け後の正面図
【図２１】ベスト型式２、Ｊ１取り付けベルトの正面図と縦中央Ｉの断面図
【図２２】ベスト型式２、Ｊ２吊り紐掛け金具の正面図と底面図及び側面図
【図２３】ベスト型式２、Ｊ３金具カバーの正面図と底面図及び側面図
【図２４】本発明バンド型式、全体図
【図２５】バンド型式、Ｌ肩当ての斜視図
【図２６】バンド型式、Ｌ１肩当て台の平面図
【図２７】バンド型式、Ｌ２バンドの肩に当たる部分の平面図
【図２８】バンド型式、Ｍバンド合わせの正面図と側面図及び装着図
【図２９】バンド型式、Ｎ長さ調節器具の斜視図
【図３０】バンド型式、Ｎ１受け金の正面図と展開図
【図３１】バンド型式、Ｎ２掛け金の正面図と展開図
【図３２】バンド型式、Ｏ吊り具掛けの装着図１と金具カバー取り付け後の装着図２
【図３３】両型式共用、Ｇシャツの吊り具通しホールの正面図
【図３４】両型式共用、Ｆ吊り紐の正面図及び縦中央Ｉの断面図
【図３５】両型式共用、Ｈ吊り具留めの正面図（ズボンの内側及びズボンの表側）
【図３６】両型式共用、Ｈ１掛けの正面図及び側面図（バーを倒した状態）
【図３７】両型式共用、Ｈ１掛けの正面図及び側面図（バーを立てた状態）
【図３８】両型式共用、Ｈ２受け（ズボンの内側）の正面図と底面図及び側面図
【図３９】両型式共用、Ｈ３受け（ズボンの表側）の裏正面図と横Ｉ及び縦中央ＩＩの断面図
【符号の説明】
Ａ          ベスト型式１及び２の、ベスト
Ｂ          ベスト型式１及び２の、肩当て
Ｃ          ベスト型式１の、吊り具掛け
Ｄ          ベスト型式１及び２の、正面の当て具
Ｅ          ベスト型式１及び２の、背面の当て具
Ｆ          両型式共用の、吊り紐
Ｇ          両型式共用の、シャツの吊り具通しホール
Ｈ          両型式共用の、吊り具留め
Ｊ          ベスト型式２の、吊り具掛け
Ｋ          バンド型式の、肩から吊るすバンド
Ｌ          バンド型式の、肩当て
Ｍ          バンド型式の、バンド合わせ
Ｎ          バンド型式の、長さ調節器具
Ｏ          バンド型式の、吊り具掛け
Ｃ１        Ｃ吊り具掛けの、取り付けベルト
Ｃ２        Ｃ吊り具掛けの、取り付け金具
Ｃ３        Ｃ吊り具掛けの、掛け金
Ｃ４        Ｃ吊り具掛けの、ビス
Ｃ５        Ｃ吊り具掛けの、ベルト
Ｃ６        Ｃ吊り具掛けの、外枠
Ｃ７        Ｃ吊り具掛けの、弾力バネの軸
Ｃ８        Ｃ吊り具掛けの、弾力バネ
Ｃ９        Ｃ吊り具掛けの、ストッパーの軸
Ｃ１０      Ｃ吊り具掛けの、ワッシャー
Ｃ１１      Ｃ吊り具掛けの、掛け金
Ｃ１２      Ｃ吊り具掛けの、ストッパー
Ｃ１３      Ｃ吊り具掛けの、ホック
Ｃ１−１    Ｃ１取り付けベルトの、縫い付け布
Ｃ１−２    Ｃ１取り付けベルトの、金具掛けベルト
Ｃ２−１    Ｃ２取り付け金具の、開口部
Ｃ２−２    Ｃ２取り付け金具の、取り外しホール
Ｃ２−３    Ｃ２取り付け金具の、枠金
Ｃ３−１    Ｃ３掛け金の、開口部
Ｃ３−２    Ｃ３掛け金の、取り外しホール
Ｃ３−３    Ｃ３掛け金の、掛け口
Ｃ３−４    Ｃ３掛け金の、掛け金板
Ｃ３−５    Ｃ３掛け金の、ビス止めホール
Ｃ４−１    Ｃ４ビスの、軸
Ｃ４−２    Ｃ４ビスの、笠
Ｃ５−１    Ｃ５ベルトの、ビス留めホール
Ｃ５−２    Ｃ５ベルトの、ストッパー掛けベルト
Ｃ５−３    Ｃ５ベルトの、ストッパー止めホール
Ｃ５−４    Ｃ５ベルトの、ストッパー止めの溝
Ｃ５−５    Ｃ５ベルトの、ホック留めのホール
Ｃ６−１    Ｃ６外枠の、外枠台
Ｃ６−２    Ｃ６外枠の、弾力バネの軸穴
Ｃ６−３    Ｃ６外枠の、ストッパーの軸穴
Ｃ６−４    Ｃ６外枠の、ストッパーの爪掛け開口部
Ｃ６−５    Ｃ６外枠の、ストッパーの爪の先の突起収めホール
Ｃ６−６    Ｃ６外枠の、吊り紐留め通し
Ｃ６−７    Ｃ６外枠の、外枠の縁
Ｃ６−８    Ｃ６外枠の、外枠台の床
Ｃ６−９    Ｃ６外枠の、２重床
Ｃ７−１    Ｃ７弾力バネの軸の、軸棒
Ｃ７−２    Ｃ７弾力バネの軸の、脱落防止の笠
Ｃ８−１    Ｃ８弾力バネの、受け板
Ｃ８−２    Ｃ８弾力バネの、軸に掛ける折り返し
Ｃ８−３    Ｃ８弾力バネの、バネ
Ｃ９−１    Ｃ９ストッパーの軸の、軸棒
Ｃ９−２    Ｃ９ストッパーの軸の、脱落防止の笠
Ｃ１０−１  Ｃ１０ワッシャーの、短く切ったパイプ
Ｃ１０−２  Ｃ１０ワッシャーの、ストッパーの軸穴
Ｃ１１−１  Ｃ１１掛け金の、ストッパーの軸に掛ける折り返し
Ｃ１１−２  Ｃ１１掛け金の、板金
Ｃ１１−３  Ｃ１１掛け金の、吊り紐掛け
Ｃ１２−１  Ｃ１２ストッパーの、ストッパーの台
Ｃ１２−２  Ｃ１２ストッパーの、吊り紐留めを通す開口部
Ｃ１２−３  Ｃ１２ストッパーの、中抜き部分
Ｃ１２−４  Ｃ１２ストッパーの、ストッパーの軸穴
Ｃ１２−５  Ｃ１２ストッパーの、吊り紐留めを通す開口部
Ｃ１２−６  Ｃ１２ストッパーの、ストッパーの爪
Ｃ１２−７  Ｃ１２ストッパーの、ストッパーの爪の先の突起
Ｃ１２−８  Ｃ１２ストッパーの、ストッパーの縁
Ｃ１３−１  Ｃ１３ホックの、ベストに固着する受け
Ｃ１３−２  Ｃ１３ホックの、ベルトＣ５を留める掛け
Ｆ１        Ｆ吊り紐の、吊り紐留め
Ｆ２        Ｆ吊り紐の、掛け金掛けホール
Ｇ１        Ｇシャツの吊り具通しホールの、開口部
Ｇ２        Ｇシャツの吊り具通しホールの、かがり
Ｈ１        Ｈ吊り具留めの、掛け
Ｈ２        Ｈ吊り具留めの、受け（ズボンの内側）
Ｈ３        Ｈ吊り具留めの、受け（ズボンの表側）
Ｈ１−１    Ｈ１掛けの、はさみ
Ｈ１−２    Ｈ１掛けの、バー
Ｈ１−３    Ｈ１掛けの、留め金
Ｈ２−１    Ｈ２受け（ズボンの内側）の、掛け金
Ｈ２−２    Ｈ２受け（ズボンの内側）の、台
Ｈ２−３    Ｈ２受け（ズボンの内側）の、爪
Ｈ３−１    Ｈ３受け（ズボンの表側）の、爪を受ける穴
Ｈ３−２    Ｈ３受け（ズボンの表側）の、表のボード
Ｊ１        Ｊ吊り具掛けの、取り付けベルト
Ｊ２        Ｊ吊り具掛けの、吊り紐掛け金具
Ｊ３        Ｊ吊り具掛けの、金具カバー
Ｊ１−１    Ｊ１取り付けベルトの、縫い付け布
Ｊ１−２    Ｊ１取り付けベルトの、金具掛け取り付けベルト
Ｊ２−１    Ｊ２吊り紐掛け金具の、ベルト受けの軸
Ｊ２−２    Ｊ２吊り紐掛け金具の、掛け金受けの軸
Ｊ２−３    Ｊ２吊り紐掛け金具の、掛け金
Ｊ２−４    Ｊ２吊り紐掛け金具の、金具枠
Ｊ２−５    Ｊ２吊り紐掛け金具の、取り外し摘み
Ｊ２−６    Ｊ２吊り紐掛け金具の、掛け金受け
Ｊ３−１    Ｊ３金具カバーの、脱落防止の肩
Ｊ３−２    Ｊ３金具カバーの、取り外し摘み
Ｊ３−３    Ｊ３金具カバーの、金具カバー枠
Ｌ１        Ｌ肩当ての、肩当て台
Ｌ２        Ｌ肩当ての、肩に当たる部分
Ｌ１−１    Ｌ１肩当て台の、台側のマジックテープ
Ｌ１−２    Ｌ１肩当て台の、バンドを通す切り込み
Ｌ２−１    Ｌ２バンドの肩に当たる部分の、バンド側のマジックテープ
Ｍ１        Ｍバンド合わせの、バンドを通すホール
Ｍ２        Ｍバンド合わせの、プレート
Ｎ１        Ｎ長さ調節器具の、受け金
Ｎ２        Ｎ長さ調節器具の、掛け金
Ｎ１−１    Ｎ１受け金の、台金
Ｎ１−２    Ｎ１受け金の、凹部分
Ｎ２−１    Ｎ２掛け金の、台金
Ｎ２−２    Ｎ２掛け金の、凸部分
Ｎ２−３    Ｎ２掛け金の、バンドを固定する爪１
Ｎ２−４    Ｎ２掛け金の、バンドを固定する爪２
【図１】
2004190207.tif 000003
【図２】
2004190207.tif 000004
【図３】
2004190207.tif 000005
【図４】
2004190207.tif 000006
【図５】
2004190207.tif 000007
【図６】
2004190207.tif 000008
【図７】
2004190207.tif 000009
【図８】
2004190207.tif 000010
【図９】
2004190207.tif 000011
【図１０】
2004190207.tif 000012
【図１１】
2004190207.tif 000013
【図１２】
2004190207.tif 000014
【図１３】
2004190207.tif 000015
【図１４】
2004190207.tif 000016
【図１５】
2004190207.tif 000017
【図１６】
2004190207.tif 000018
【図１７】
2004190207.tif 000019
【図１８】
2004190207.tif 000020
【図１９】
2004190207.tif 000021
【図２０】
2004190207.tif 000022
【図２１】
2004190207.tif 000023
【図２２】
2004190207.tif 000024
【図２３】
2004190207.tif 000025
【図２４】
2004190207.tif 000026
【図２５】
2004190207.tif 000027
【図２６】
2004190207.tif 000028
【図２７】
2004190207.tif 000029
【図２８】
2004190207.tif 000030
【図２９】
2004190207.tif 000031
【図３０】
2004190207.tif 000032
【図３１】
2004190207.tif 000033
【図３２】
2004190207.tif 000034
【図３３】
2004190207.tif 000035
【図３４】
2004190207.tif 000036
【図３５】
2004190207.tif 000037
【図３６】
2004190207.tif 000038
【図３７】
2004190207.tif 000039
【図３８】
2004190207.tif 000040
【図３９】
2004190207.tif 000041